(57)【要約】【課題】電源系統図の作成時間、複数の構成案の検討時間、妥当性確認の時間を短縮し、電源系統図の構成に関する人為的なミスを抑制することが可能な設計支援装置を提供する。【解決手段】設計支援装置１００は、複数のデバイスシンボルの配置を示す位置関係情報と、複数のデバイスシンボル間の接続を指示する接続関係情報とを受け付ける受付手段３０と、位置関係情報に基づいて、各デバイスシンボルを配置し、接続関係情報に基づいて、複数のデバイスシンボル間を接続することで電源系統図を作成する第１作成手段４１と、配置された各デバイスシンボルと他のデバイスシンボルとの接続に関する接続条件を取得し、当該接続条件に基づいて各デバイスシンボルと接続する他のデバイスシンボルの候補を特定する第２作成手段４２と、候補を通知する通知手段５０と、を備え、受付手段は、通知された候補のいずれかを示す選択情報を接続関係情報として受け付ける。【選択図】図１
2015194792.tif 000002
【特許請求の範囲】
【請求項１】
デバイスを表す複数のデバイスシンボルの配置を示す位置関係情報と、前記複数のデバイスシンボル間の接続を指示する接続関係情報とを受け付ける受付手段と、
前記位置関係情報に基づいて、各デバイスシンボルを配置し、前記接続関係情報に基づいて、前記複数のデバイスシンボル間を接続することで電源系統図を作成する第１作成手段と、
前記第１作成手段にて配置された各デバイスシンボルと他のデバイスシンボルとの接続に関する接続条件を取得し、当該接続条件に基づいて各デバイスシンボルと接続する他のデバイスシンボルの候補を特定する第２作成手段と、
前記候補を通知する通知手段と、を備え、
前記受付手段は、前記通知された前記候補のいずれかを示す選択情報を前記接続関係情報として受け付ける、設計支援装置。
【請求項２】
請求項１に記載の設計支援装置において、
前記第２作成手段は、各デバイスシンボルに対する入力電圧に関する条件を前記接続条件として取得し、当該入力電圧の高いデバイスシンボルから順に、当該デイバスシンボルに接続するデバイスシンボルの候補を特定する、設計支援装置。
【請求項３】
請求項１または２のいずれか１項に記載の設計支援装置において、
前記第２作成手段は、各デバイスシンボルに入力される入力電圧に関する入力条件および各デバイスシンボルが出力する出力電圧に関する出力条件を前記接続条件として取得し、各デバイスシンボルと接続する他のデバイスシンボルの候補として、当該デバイスシンボルの入力条件に適した出力条件を有するデバイスシンボルを特定する、設計支援装置。
【請求項４】
請求項１ないし３のいずれか１項に記載の設計支援装置において、
前記第２作成手段は、電圧変換回路のライブラリ情報を取得し、当該ライブラリ情報に基づいて、前記接続条件を満たす前記電圧変換回路を表すデバイスシンボルを前記候補として特定する、設計支援装置。
【請求項５】
請求項４に記載の設計支援装置において、
前記第２作成手段は、前記ライブラリ情報に前記接続条件を満たす前記電圧変換回路がない場合、前記電圧変換回路に課される前記接続条件の候補を作成し、
前記通知手段は、前記接続条件の候補を通知する、設計支援装置。
【請求項６】
請求項１ないし５のいずれか１項に記載の設計支援装置において、
前記受付手段は、前記接続条件を絞り込む指示をさらに受け付け、
前記第２作成手段は、前記指示に基づいて前記接続条件を絞り込み、当該絞り込んだ接続条件に基づいて、前記候補を特定する、設計支援装置。
【請求項７】
請求項１ないし６のいずれか１項に記載の設計支援装置において、
前記第２作成手段は、各デバイスシンボルに対する入力電圧の範囲、入力電流の範囲、および入力電圧の投入および切断シーケンスを前記接続条件として取得し、前記入力電圧の範囲が重複し、前記入力電流の範囲が重複し、且つ、前記シーケンスが一致する前記デバイスシンボルの入力ピンを共通化する、設計支援装置。
【請求項８】
デバイスを表す複数のデバイスシンボルの配置を示す位置関係情報と、前記複数のデバイスシンボル間の接続を指示する接続関係情報とを受け付け、
前記位置関係情報に基づいて、各デバイスシンボルを配置し、
前記配置された各デバイスシンボルと他のデバイスシンボルとの接続に関する接続条件を取得し、
当該接続条件に基づいて各デバイスシンボルと接続する他のデバイスシンボルの候補を特定し、
前記候補を通知し、
前記通知された前記候補のいずれかを示す選択情報を受け付け、
前記選択情報を、前記接続関係情報として受け付け、当該受け付けた接続関係情報に基づいて、前記複数のデバイスシンボル間を接続することで電源系統図を作成する、設計支援方法。
【請求項９】
コンピュータを、
デバイスを表す複数のデバイスシンボルの配置を示す位置関係情報と、前記複数のデバイスシンボル間の接続を指示する接続関係情報とを受け付ける受付手段と、
前記位置関係情報に基づいて、各デバイスシンボルを配置し、前記接続関係情報に基づいて、前記複数のデバイスシンボル間を接続することで電源系統図を作成する第１作成手段と、
前記第１作成手段にて配置された各デバイスシンボルと他のデバイスシンボルとの接続に関する接続条件を取得し、当該接続条件に基づいて各デバイスシンボルと接続する他のデバイスシンボルの候補を特定する第２作成手段と、
前記候補を通知する通知手段と、を備え、
前記受付手段は、前記通知された前記候補のいずれかを示す選択情報を前記接続関係情報として受け付ける、設計支援装置として機能させるための設計支援プログラム。
【発明の詳細な説明】
【技術分野】
【０００１】
本発明は、電源系統図を作成する情報処理装置に関し、例えば、ＣＡＤ（Ｃｏｍｐｕｔｅｒ  Ａｉｄｅｄ  Ｄｅｓｉｇｎ：コンピュータ設計支援装置）を用いた設計支援装置、設計支援方法、及び設計支援プログラムに関する。
【背景技術】
【０００２】
特許文献１には、電源から各電気回路素子（デバイス）に電力（電圧、電流）を分配する経路を示す電源系統図を回路図から作成するネットワークシステムが記載されている。
【０００３】
図４は、特許文献１に記載のネットワークシステムを示した図である。図４に示すように、特許文献１に記載のネットワークシステムでは、各クライアントＰＣ（Ｐｅｒｓｏｎａｌ  Ｃｏｍｐｕｔｅｒ）１１２は、ＣＡＤプログラムがインストールされたＨＤＤ（Ｈａｒｄ  Ｄｉｓｋ  Ｄｒｉｖｅ）１１４を備える。各クライアントＰＣ１１２は、ネットワーク１１６を経由してサーバコンピュータ１１８と接続されている。サーバコンピュータ１１８は、電源系統作成ツール（プログラム）がインストトールされているＨＤＤ１２０を備えている。
【０００４】
サーバコンピュータ１１８は、ＣＡＤプログラムを用いて作成された回路図データを読み込み、電源系統作成ツール（プログラム）により、電源系に関するシンボル図（キー部品）、ネットリスト（接続情報）を抽出し、図５に示す電源系統図を作成している。
【０００５】
また、特許文献２では、ネットワークの電源の設計において、電源から供給される電力と、ネットワークを構成する装置であり、かつ電源に接続される装置の消費電力と、ネットワークを構成する装置の運用方法とに基づき、電源系統を割り当てる方法が開示されている。
【先行技術文献】
【特許文献】
【０００６】
【特許文献１】特開２００９−６９８８４号公報
【特許文献２】特開２０１０−１７６１６２号公報
【発明の概要】
【発明が解決しようとする課題】
【０００７】
電気回路素子で取り扱う電圧の種類が増大すると、電源から各電気回路に電力を分配する経路の候補数や、電源から各電気回路までの経路上で用いられる電圧変換回路の候補数も増大する。このため、構想（概略）設計段階から、電源系統の妥当性を検証して、複数の候補の中から適切な電源系統ツリーを作成することが重要となる。
【０００８】
しかしながら、特許文献１に記載のネットワークシステムでは、電源系統ツリーは作成されるが、回路図から電源系統ツリーを作成するため、回路図が作成されていないと電源系統ツリーを作成することができない。また、特許文献２に記載の方法では、既に存在する電源系統を割り当てる方法は開示されているが、電源系統自体を生成する方法に関しては開示されていない。
【０００９】
このため、電源系統の作成自体や、複数の構成案の検討、妥当性の確認に時間がかかるという問題があった。また、接続ミスなどの人為的なミスによる設計不具合が生じやすいという問題があった。
【００１０】
本発明は、上記課題を解決可能な設計支援装置、設計支援方法、および設計支援プログラムを提供することである。
【課題を解決するための手段】
【００１１】
本発明による設計支援装置は、
デバイスを表す複数のデバイスシンボルの配置を示す位置関係情報と、前記複数のデバイスシンボル間の接続を指示する接続関係情報とを受け付ける受付手段と、
前記位置関係情報に基づいて、各デバイスシンボルを配置し、前記接続関係情報に基づいて、前記複数のデバイスシンボル間を接続することで電源系統図を作成する第１作成手段と、
前記第１作成手段にて配置された各デバイスシンボルと他のデバイスシンボルとの接続に関する接続条件を取得し、当該接続条件に基づいて各デバイスシンボルと接続する他のデバイスシンボルの候補を特定する第２作成手段と、
前記候補を通知する通知手段と、を備え、
前記受付手段は、前記通知された前記候補のいずれかを示す選択情報を前記接続関係情報として受け付ける。
【００１２】
また、本発明による設計支援方法は、
デバイスを表す複数のデバイスシンボルの配置を示す位置関係情報と、前記複数のデバイスシンボル間の接続を指示する接続関係情報とを受け付け、
前記位置関係情報に基づいて、各デバイスシンボルを配置し、
前記配置された各デバイスシンボルと他のデバイスシンボルとの接続に関する接続条件を取得し、
当該接続条件に基づいて各デバイスシンボルと接続する他のデバイスシンボルの候補を特定し、
前記候補を通知し、
前記通知された前記候補のいずれかを示す選択情報を受け付け、
前記選択情報を、前記接続関係情報として受け付け、当該受け付けた接続関係情報に基づいて、前記複数のデバイスシンボル間を接続することで電源系統図を作成する。
【００１３】
また、本発明による設計支援プログラムは、
コンピュータを、
デバイスを表す複数のデバイスシンボルの配置を示す位置関係情報と、前記複数のデバイスシンボル間の接続を指示する接続関係情報とを受け付ける受付手段と、
前記位置関係情報に基づいて、各デバイスシンボルを配置し、前記接続関係情報に基づいて、前記複数のデバイスシンボル間を接続することで電源系統図を作成する第１作成手段と、
前記第１作成手段にて配置された各デバイスシンボルと他のデバイスシンボルとの接続に関する接続条件を取得し、当該接続条件に基づいて各デバイスシンボルと接続する他のデバイスシンボルの候補を特定する第２作成手段と、
前記候補を通知する通知手段と、を備え、
前記受付手段は、前記通知された前記候補のいずれかを示す選択情報を前記接続関係情報として受け付ける、設計支援装置として機能させるための設計支援プログラムである。
【発明の効果】
【００１４】
本発明によれば、電源系統図の作成時間、複数の構成案の検討時間、妥当性確認の時間を短縮し、電源系統図の構成に関する人為的なミスを抑制することができる。
【図面の簡単な説明】
【００１５】
【図１】本発明の一実施形態に係る設計支援装置１００の全体構成図である。
【図２Ａ】図１の設計支援装置１００の動作例を説明するためのフローチャートである。
【図２Ｂ】図１の設計支援装置１００の動作例を説明するためのフローチャートである。
【図３Ａ】図１の設計支援装置１００により作成される電源系統図の供給元回路と供給先回路を配置した状態を示す図である。
【図３Ｂ】図１の設計支援装置１００により作成される電源系統図の供給先回路の入力ピン同士を共通化した状態を示す図である。
【図３Ｃ】図１の設計支援装置１００により作成される電源系統図の部品シンボルＦと接続する組み合わせ候補の表示例を示す図である。
【図３Ｄ】図１の設計支援装置１００が用いる部品ライブラリの例を示す図である。
【図３Ｅ】図１の設計支援装置１００が作成する組合せ候補の表示例を示す図である。
【図３Ｆ】図１の設計支援装置１００が作成する組合せ候補の表示例を示す図である。
【図３Ｇ】図１の設計支援装置１００が作成する組合せ候補の表示例を示す図である。
【図４】本発明の関連技術のブロック図である。
【図５】関連技術における電源系統図を示す模式図である。
【発明を実施するための形態】
【００１６】
以下、本発明の実施形態について添付の図面を参照して説明する。なお、本明細書および図面において、同一の機能を有する構成要素については同じ符号を付することにより重複説明を省略する場合がある。
【００１７】
図１は、本発明の一実施形態に係る電源系統図の設計支援装置（以下、単に「設計支援装置」と称する）１００の全体構成図である。
【００１８】
設計支援装置１００は、記憶部１０〜１２および記憶部２０と、データ入力部３０と、作成部４０と、出力部５０とを有する。記憶部１０〜１２および記憶部２０は、それぞれ個別の記憶装置により構成されてもよいし、１つの記憶装置が記憶部１０〜１２および記憶部２０の機能を兼ね備えてもよい。作成部４０は、電源系統図作成部４１と、電源系統提案部４２とを含む。なお、本実施形態では、作成部４０として、コンピュータ（例えば、演算処理装置、プロセッサ、データ処理装置）が用いられる。
【００１９】
記憶部１０〜１２および２０は、コンピュータにて読取り可能な記録媒体の一例であり、例えば、メモリや、ＨＤＤである。
【００２０】
記憶部１０は、部品シンボル形状ライブラリを格納する。部品シンボル形状ライブラリには、電源系統図を構成する複数の部品（デバイス）を表す図（以下、「部品シンボル」と称する）が登録され、格納されている。なお、部品シンボルは、デバイスシンボルの一例である。部品シンボルは、部品の形状とともに、部品に関する属性情報を含む。属性情報は、例えば、部品の入力ピンに入力することができる電力の条件や、部品の出力ピンから出力される電力の条件などを含む。
【００２１】
記憶部１１は、電源系統図データ・ライブラリを格納する。電源系統図データ・ライブラリには、設計支援装置１００で作成された電源系統図が登録され、格納されている。電源系統図は、部品シンボルの位置関係情報と、部品シンボル間の接続関係情報とから構成されている。
【００２２】
記憶部１２は、部品シンボルに読み込み可能な部品に関するデータがライブラリとして格納されている。
【００２３】
記憶部２０は、設計支援プログラムを格納する。設計支援プログラムは、設計者による電源系統図の作成を支援するプログラムであり、作成部４０に読み込まれ、電源系統図作成部４１、および電源系統提案部４２の動作を制御し、電源系統図の作成支援の処理を実行する。
【００２４】
データ入力部３０は、受付手段の一例であり、キーボード、マウス、タッチセンサなどである。データ入力部３０は、電源系統図を作成するために必要な情報を設計者が入力する際に使用される。データ入力部３０は、例えば、デバイスを表す複数の部品シンボルの配置を示す位置関係情報と、複数の部品シンボルの間の接続を指示する接続関係情報と、各々の部品シンボルの属性情報とを受け付けることができる。また、データ入力部３０は、位置関係情報と、接続関係情報と、属性情報とを変更するための変更情報を受け付けることができる。
【００２５】
作成部４０は、データ入力部３０が受け付けた各情報に基づいて、記憶部１０〜１２に記憶された各情報を用いながら、電源系統図を作成する。
【００２６】
電源系統図作成部４１は、第１作成手段の一例である。電源系統図作成部４１は、部品シンボル形状ライブラリを用いながら、部品シンボルを位置関係情報に基づいてコンピュータ上の仮想空間に配置し、配置された複数のデバイスシンボルを接続関係情報に基づいて接続することで、複数の部品シンボルに関する電源系統図を作成する。電源系統図作成部４１は、作成した電源系統図を電源系統図データ・ライブラリとして記憶部１１に記憶する。
【００２７】
電源系統提案部４２は、第２作成手段の一例である。電源系統提案部４２は、電源系統図作成部４１が作成途中の電源系統図の情報に基づいて設計条件を抽出し、設計条件に整合する部品シンボル、部品シンボル間の接続関係、部品シンボルとして読み込む部品シンボルのデータ・ライブラリの候補を絞り込む。
【００２８】
具体的には、電源系統提案部４２は、設計条件として、電源系統図作成部４１により作成途中の電源系統図に配置された各部品シンボルと他の部品シンボルとの接続に関する接続条件を取得する。そして電源系統提案部４２は、接続条件に基づいて、各部品シンボルと接続する他のデバイスシンボルの候補を特定する。他のデバイスシンボルは、配置された部品シンボルであってもよいし、未だ配置されていない新たな部品シンボルであってもよい。例えば、電源系統提案部４２は、配置された部品シンボルの中に他の部品シンボルの候補が存在しない場合、電圧変換回路のライブラリ情報を取得し、当該ライブラリ情報に基づいて、接続条件を満たす電圧変換回路を表す部品シンボルを他の部品シンボルの候補としてもよい。また電源系統提案部４２は、ライブラリ情報に接続条件を満たす電圧変換回路がない場合、電圧変換回路に課される接続条件の候補を作成してもよい。接続条件は、デバイス間を接続するための条件であり、デバイスの特定などによって定まる条件である。例えば、接続条件は、デバイスに入力する入力電力に関する入力条件や、デバイスが出力する出力電力に関する出力条件などを含む。
【００２９】
また、電源系統提案部４２は、各部品シンボルに対する入力電圧の範囲、入力電流の範囲、および入力電圧の投入および切断シーケンスを接続条件として取得し、入力電圧の範囲が重複し、入力電流の範囲が重複し、且つ、投入および切断シーケンスが一致する部品シンボルの入力ピンを共通化する。ここで入力ピンを共通化するとは、複数の入力ピンを共通する出力ピンと接続することをいい、共通する出力ピンと接続するために、入力ピン同士を接続することも含む。
【００３０】
また、電源系統提案部４２は、各部品シンボルに対する入力電圧に関する条件を接続条件として取得し、入力電圧の高い部品シンボルから順に、当該部品シンボルに接続する他の部品シンボルの候補を特定する。また電源系統提案部４２は、各部品シンボルに対する入力電圧および出力電圧に関する条件を接続条件として取得する。そして部品シンボルの出力電圧が、他の部品シンボルの入力電圧に関する条件を満たす場合、当該部品シンボルおよび当該他の部品シンボルを互いに接続する部品シンボルの候補とする。
【００３１】
また、電源系統提案部４２は、データ入力部３０を用いて設計条件を絞り込む指示を受け付け、当該指示に基づいて設計条件を絞り込み、絞り込んだ接続条件に基づいて候補を特定することで、更に候補を絞り込んでもよい。
【００３２】
出力部５０は、通知手段の一例であり、例えば、ディスプレイやプリンタを含む。出力部５０は、電源系統図や、部品シンボル、部品シンボル間の接続関係、部品シンボルとして読み込む部品のデータ・ライブラリの候補を通知（表示や印刷）する。また、電圧変換回路に課される接続条件の候補が作成された場合、出力部５０は、この接続条件の候補を通知することもできる。
【００３３】
次に、動作を説明する。図２Ａおよび図２Ｂは、設計支援装置１００の動作を説明するためのフローチャートである。また、図３Ａ〜図３Ｇは、電源系統図の表示例である。
【００３４】
まず、ユーザは、データ入力部３０を操作して、電源供給の大元となる供給元回路、最終的に電源供給される供給先回路を表す部品シンボルの配置、部品シンボルに属する情報のデータ入力を指示する（ステップＳ１０１）。
【００３５】
データ入力部３０は、ユーザからの配置指示（電源系統図に使用する部品シンボルの
配置）、データ入力指示を、電源系統図作成部４１に出力する。なお、配置指示は、位置関係情報の一例である。
【００３６】
ここで、ステップＳ１０１について、図３Ａを参照して説明する。図３ＡのＡ〜Ｆは、部品シンボルであり、部品シンボル“Ａ”は供給元回路を表し、部品シンボル“Ｂ”、“Ｃ”、“Ｄ”、“Ｅ”、“Ｆ”は供給先回路を表す。図３Ａは、ユーザの操作に応じて、電源系統図作成部４１が部品シンボルＡ〜Ｆを配置した状態を示している。また、各部品シンボルに記載された情報は、部品シンボルに属する情報であり、各部品シンボルの入力ピンに記載された数字＜１＞〜＜４＞は、電圧投入／切断のシーケンスを表している。例えば、図３Ａでは、データ入力指示に基づき、部品シンボル“Ａ”の部品シンボルに属する情報として、出力電圧のｔｙｐｉｃａｌ値（１２Ｖ）、出力電圧範囲（１２Ｖ−５％〜１２Ｖ＋５％）、出力電流範囲（０．１Ａ〜８Ａ）が読み込まれている。また部品シンボル“Ｂ”の部品シンボルに属する情報として、入力電圧のｔｙｐｉｃａｌ値（３．３Ｖ）、入力電圧範囲（３．３Ｖ−５％〜３．３Ｖ＋５％）、入力電流範囲（０．４Ａ〜０．５Ａ）、電圧投入／切断のシーケンス＜２＞が読み込まれている。電源系統提案部４２は、これらの部品シンボルに属する情報から接続条件などの設計条件を生成することができる。
【００３７】
次に、電源系統提案部４２は、供給先回路の入力ピンの入力電圧のｔｙｐｉｃａｌ値、電圧投入／切断のシーケンスが同一の部品シンボルの組合せがある場合、入力ピン同士を接続するよう電源系統図作成部４１に指示する（ステップＳ１０２）。
【００３８】
ここで、ステップＳ１０２について、図３Ｂを参照して説明する。図３Ｂでは、供給先回路である部品シンボル“Ｂ”、“Ｃ”、“Ｄ“、”Ｅ“、”Ｆ“の中で、入力電圧のｔｙｐｉｃａｌ値が同一である組合せは、部品シンボル”Ｂ”、“Ｃ”、“Ｅ”である。更に、部品シンボル“Ｂ”、“Ｃ”、“Ｅ”の組合せの中で、電圧投入／切断のシーケンスが同一であるのは、部品シンボル“Ｂ”と“Ｅ”のみであり、部品シンボル“Ｂ”と“Ｅ”の入力ピン同士を接続する。
【００３９】
次に、電源系統図作成部４１は、供給先回路の接続された入力ピン同士に対して、電流の総和、入力電圧範囲の重複範囲を算出する（ステップＳ１０３）。
【００４０】
ここで、ステップ１０３について、図３Ｂを参照して説明する。図３Ｂでは、供給先回路である部品シンボル“Ｂ”と“Ｅ”の入力ピン同士が接続されているので、部品シンボル“Ｂ”の入力電流範囲０．４Ａ〜０．５Ａと、部品シンボル“Ｅ”の入力電流範囲２Ａ〜３Ａの総和として、２．４Ａ（＝０．４＋２）〜３．５Ａ（＝０．５＋３）を算出する。また、部品シンボル“Ｂ”の入力電圧範囲３．３Ｖ−５％〜３．３Ｖ＋５％と、部品シンボル“Ｅ”の入力電圧範囲３．３Ｖ−１０％〜３．３Ｖ＋１０％の重複範囲として、３．３Ｖ−５％〜３．３Ｖ＋５％を算出する。
【００４１】
次に、電源系統提案部４２は、供給元回路の出力ピンのデータと、供給先回路の入力ピンのデータに関し、電圧の降順に、順次、以下の処理を行う。電源系統提案部４２は、抽出した設計条件を基に、電圧範囲、電流範囲が整合する接続組合せの候補を抽出する。電源系統提案部４２は、出力部５０を用いて、抽出した組合せの候補と特性値のリストを表示する。そして電源系統提案部４２は、データ入力部３０を用いて、組合せ候補の選択を接続関係情報として受け付けることで、電源系統図作成部４１に選択された組合せ候補に基づいて部品シンボル間を接続することを指示する（ステップＳ１０４）。
【００４２】
ここで、ステップ１０４について、図３Ｂを参照して説明する。電源系統提案部４２は、供給先回路の入力電圧範囲の降順に部品シンボルＢ〜Ｆを並べ替えると、部品シンボル“Ｆ”、“Ｂ”と“Ｅ”、“Ｃ”、“Ｄ”の順となる。まず、供給先回路の部品シンボル“Ｆ”の入力電圧範囲１２Ｖ−１０％〜１２Ｖ＋１０％、入力電流範囲３Ａ〜４Ａに対して、出力電圧範囲が入力電圧範囲に包含されており、かつ、出力電流範囲が入力電流範囲を包含していることを設計条件として、供給元回路を接続候補として抽出する。図３Ｃでは、供給先回路としては部品シンボル“Ａ”のみであるが、複数ある場合には各々が候補となるかどうか同様の判断を行う。部品シンボル“Ａ”の出力電圧範囲の最大値は１２Ｖ＋５％で、設計条件である入力電圧範囲の最大値１２Ｖ＋１０％以下を満たしている。また、部品シンボル“Ａ”の出力電圧範囲の最小値は１２Ｖ−５％で、こちらも設計条件である入力電圧範囲の最小値１２Ｖ−１０％以上を満たしている。部品シンボル“Ａ”の出力電流範囲の最大値は８Ａで、設計条件である入力電流範囲の最大値４Ａ以上を満たしている。また、部品シンボル“Ａ”の出力電流範囲の最小値は０．１Ａで、設計条件である入力電流範囲の最小値３Ａ以下を満たしている。従って、部品シンボル“Ａ”は設計条件を満足しているため、部品シンボル“Ｆ”と接続する組合せ候補として、部品シンボル“Ａ”を抽出する。設計条件を満足する供給元回路の部品シンボルが複数存在する場合には、各々を組合せ候補として抽出し、抽出した組合せ候補と特性値のリストを表示する。組合せ候補の中からの選択を受け付け、接続を実施する。図３Ｂの場合、組合せ候補である部品シンボル“Ａ”を、例えば、図３Ｃに示すように、組合せ候補として、特性値をリスト化して表示する。組合せ候補が複数ある場合には、選択を受け付ける。組合せ候補が一つしかない場合には、選択を受け付けても、受け付けなくても良い。選択を受け付けた後、順次、入力電圧範囲の降順に整理した残りの供給先回路の部品シンボル“Ｂ”と“Ｅ”、“Ｃ”、“Ｄ”についても同様な処理を実施する。
【００４３】
次に、配置された部品シンボルにおいて、未結線の入力ピンがあるかどうか判定を実施する（ステップＳ１０５）。未結線の入力ピンがない場合、ステップＳ１０９に移行する。未結線の入力ピンがある場合には、ステップＳ１０６に移行する。
【００４４】
次に、電源系統提案部４２は、出力ピンと未結線の入力ピンの組合せにおいて、電圧の降順に、順次、以下の処理を行う。抽出した設計条件を基に、電圧範囲、電流範囲が整合する電圧変換回路ライブラリの組合せ候補を抽出する。組合せ候補と特性値のリストを表示し、接続組合せ、電圧変換素子ライブラリ候補の選択を受け付け、電源系統図作成部４１に配置、接続の指示を行う（Ｓ１０６）。
【００４５】
ここで、ステップ１０６について、図３Ｃを参照して説明する。図３Ｃにおいて、出力ピンとの接続がない入力ピンを有する部品シンボルを入力電圧範囲の降順に整理すると、部品シンボル“Ｂ”と“Ｅ”、“Ｃ”、“Ｄ”である。続いて、電源系統提案部４２は、出力ピンを有する部品シンボルを出力電圧範囲の降順に整理する。図３Ｃでは、出力ピンを有する部品シンボルは部品シンボル“Ａ”だけであるが、複数ある場合には各々が候補となるかどうか判断を行う。
【００４６】
まず、電源系統提案部４２は、部品シンボル“Ｂ”および“Ｅ”に対する入力電圧の条件を満たす出力電圧の部品シンボルを、部品シンボル“Ｂ”および“Ｅ”に接続する部品シンボルの候補として抽出する。具体的には、部品シンボル“Ｂ”および“Ｅ”に接続する部品シンボルの候補の接続条件は、部品シンボル“Ｂ”および“Ｅ”の入力電圧範囲３．３Ｖ−５％〜３．３Ｖ＋５％に出力電圧範囲が包含されており、かつ、入力電流範囲２．４Ａ〜３．５Ａを出力電流範囲が包含していることを含む。またさらに、部品シンボル“Ｂ”および“Ｅ”に接続する部品シンボルの候補の接続条件は、部品シンボル“Ａ”の出力電圧範囲１２Ｖ−５％〜１２Ｖ＋５％、出力電流範囲０．１Ａ〜８Ａに対して、既に、部品シンボル“Ａ”から部品シンボル“Ｆ”に供給している入力電流範囲を考慮して、出力電圧範囲が入力電圧範囲に包含されており、かつ、出力電流範囲が入力電流範囲に包含していることである。これらの接続条件に基づいて、電源系統提案部４２は、電圧変換回路ライブラリの中から部品シンボル“Ｂ”および“Ｅ”に接続する部品シンボルの候補を抽出する。
【００４７】
電圧変換回路ライブラリの一例を図３Ｄに示す。設計条件である出力電圧範囲の最大値が入力電圧範囲の最大値３．３Ｖ＋５％（＝３．４６５Ｖ）以下を満たしており、かつ、出力電圧範囲の最小値が入力電圧範囲の最小値３．３Ｖ−５％（＝３．１３５Ｖ）以上を満たしており、かつ、出力電流範囲の最大値が入力電流範囲の最大値３．５Ａ以上を満たしており、かつ、出力電流範囲の最小値が入力電流範囲の最小値２．４Ａ以下を満たしており、かつ、入力電圧範囲の最大値が出力電圧範囲の最大値１２Ｖ＋５％以上を満たしており、かつ、入力電圧範囲の最小値が出力電圧範囲の最小値１２Ｖ−５％を満たしている電圧変換回路の候補として、電源系統提案部４２は、図３Ｄのライブラリの中から”ＬＡ“、”ＬＣ“を抽出する。
【００４８】
残りの設計条件である入力電流範囲の最大値が出力電流範囲の最大値４Ａ以下を満たしており、かつ、入力電流範囲の最小値が出力電流範囲の最小値０Ａ以上を満たしているかどうかは、図３Ｄのライブラリ情報の中には入っていないので、判断することができない。そこで、電源系統提案部４２は、各々の候補”ＬＡ“、”ＬＣ“の入力ピンが部品シンボル”Ａ“の出力ピンに接続され、また、各々の候補”ＬＡ“、”ＬＣ“の出力ピンが部品シンボル”Ｂ“と”Ｅ“の入力ピンに接続された場合を想定して、入力電流範囲の最大値、入力電流の最小値を算出し、設計条件を満たしているかどうか判断をおこなう。”ＬＡ“の場合のように、スイッチング・レギュレータの場合には、電源系統提案部４２は、データ入力部３０を用いて効率のデータ入力を受付けた後、入力電流を算出する。電源系統提案部４２は、入力電流の算出結果が設計条件を満たしていない場合、候補から削除することで、候補を絞り込む。図３Ｅに示すように、各々の候補”ＬＡ“、”ＬＣ“は入力電流に関しても設計条件を満たしている。
【００４９】
電源系統提案部４２は、効率以外にも、ライブラリとして未入力な項目に対して、データ入力部を用いてデータ入力を受け付けたり、自動計算をしたりしても良い。例えば、図３Ｅでは、電源系統提案部４２は、効率、部品周囲温度のデータ入力を受け付けることにより、入力電流に加えて、発熱量、ジャンクション温度も自動計算をしている。
【００５０】
また、電源系統提案部４２は、自動抽出した設計条件に加えて、データ入力部３０を用いて設計条件を絞り込む指示を受け付け、当該指示に基づいて設計条件を絞り込み、絞り込んだ接続条件に基づいて候補を特定することで、更に候補を絞り込んでもよい。例えば、図３Ｆでは、ジャンクション温度が１２０度以下というデータ入力を受け付け、候補を“ＬＡ”に絞り込んでいる。
【００５１】
図３Ｆに示すように、電源系統提案部４２は、出力部５０を用いて、設計条件を満足する電圧変換回路の部品シンボルを組合せ候補として、抽出した組合せ候補と特性値のリスト、電圧変換回路の接続情報を表示する。出力ピンを有する部品シンボルが複数ある場合には、電源系統提案部４２は、各々に対して同様の処理を行う。電源系統提案部４２は、データ入力部を用いて、組合せ候補の中からの選択を受け付け、選択された候補を接続関係情報として受け付けることで、電源系統図作成部４１に接続関係情報に基づいて配置、接続を実施させる。
【００５２】
電源系統提案部４２は、選択を受け付けた後、出力ピンとの接続がない入力ピンを有する部品シンボルを入力電圧範囲の降順に整理した残りの部品シンボル“Ｃ”、“Ｄ”に対しても、同様の処理を行う。出力ピンを有する部品シンボルを出力電圧範囲の降順に整理する場合には、その前の処理で追加された電圧変換回路も出力ピンを有する部品シンボルとして加えて、出力電圧の降順に整理を行う。
【００５３】
次に、電源系統提案部４２は、部品シンボルにおいて、未結線の入力ピンがあるかどうか判定を実施する（ステップＳ１０７）。未結線の入力ピンがない場合、ステップＳ１０９に移行する。未結線の入力ピンがある場合には、ステップＳ１０８に移行する。
【００５４】
次に、電源系統提案部４２は、出力ピンと未結線の入力ピンとの組合せにおいて、電圧範囲、電流範囲を整合させるために必要な電圧変換素子の設計条件、組合せ候補を抽出する。電源系統提案部４２は、出力部５０を用いて、組合せ候補と設計要件のリストを表示し、データ入力部３０を用いて、接続組合せ、電圧変換回路の設計条件の選択を受け付け、配置、接続する（ステップＳ１０８）。
【００５５】
ここで、ステップＳ１０８について、図３Ｇを参照して説明する。図３Ｇにおいて、出力ピンとの接続がない入力ピンを有する部品シンボルを入力電圧範囲の降順に整理すると、部品シンボル“Ｄ”のみである。出力ピンとの接続がない入力ピンを有する部品シンボルが複数ある場合には、同様に順次以下の処理を行う。続いて、出力ピンを有する部品シンボルを出力電圧範囲の降順に整理すると、部品シンボル“Ａ”、“Ｇ（ＬＡ）”、“Ｈ（ＬＢ）”である。まず、電源系統提案部４２は、部品シンボル“Ｄ”の入力電圧範囲１．８Ｖ−５％〜１．８Ｖ＋５％、入力電流範囲１Ａ〜０．５Ａに対して、出力電圧範囲が入力電圧範囲に包含されており、かつ、出力電流範囲が入力電流範囲を包含しており、かつ、部品シンボル“Ａ”の出力電圧範囲３．３Ｖ−５％〜３．３Ｖ＋５％、出力電流範囲２．４Ａ〜３．５Ａに対して、既に、部品シンボル“Ａ”から部品シンボル“Ｇ（ＬＡ）”、Ｈ（ＬＢ）、“Ｆ”に供給している入力電流範囲を考慮して、出力電圧範囲が入力電圧範囲に包含されており、かつ、出力電流範囲が入力電流範囲に包含していることを、電圧変換回路の設計条件として抽出する。
【００５６】
設計条件である出力電圧範囲の最大値が入力電圧範囲の最大値１．８Ｖ＋５％（＝１．８９Ｖ）以下を満たしており、かつ、出力電圧範囲の最小値が入力電圧範囲の最小値１．８Ｖ−５％（＝１．７１Ｖ）以上を満たしており、かつ、出力電流範囲の最大値が入力電流範囲の最大値１Ａ以上を満たしており、かつ、出力電流範囲の最小値が入力電流範囲の最小値０．５Ａ以下を満たしており、かつ、入力電圧範囲の最大値が出力電圧範囲の最大値１２Ｖ＋５％（＝１２．６Ｖ）以上を満たしており、かつ、入力電圧範囲の最小値が出力電圧範囲の最小値１２Ｖ−５％（＝１１．４Ｖ）を満たしており、かつ、入力電流範囲の最大値が出力電流範囲の最大値２．１３２Ａ以下を満たしており、かつ、入力電流範囲の最小値が入力電流範囲の最小値０Ａ以上を満たしていることを電圧変換回路の設計条件として抽出する。
【００５７】
図３Ｇに示すように、電圧変換回路の部品シンボルに要求される設計条件のリストと電圧変換回路の接続情報の候補を表示する。また、自動抽出した設計条件に加えて、設計条件のデータ入力を受け付けてもよい。残りの出力ピンを有する部品シンボル“Ｇ（ＬＡ）”、“Ｈ（ＬＢ）”の各々に対して同様の処理を行う。組合せ候補の中からの選択を受け付け、配置、接続を実施する。
【００５８】
選択を受け付けた後、出力ピンとの接続がない入力ピンを有する部品シンボルを入力電圧範囲の降順に整理した残りの部品シンボルがある場合には、各々の部品シンボルに対して、同様の処理を行う。
【００５９】
次に、電源系統図を編集するかどうか判定を実施する（ステップＳ１０９）。電源系統図を編集しない場合には、電源系統図データ・ライブラリ１１に保存して終了する。電源系統図を編集する場合には、ステップ１１０に移行する。
【００６０】
電源系統図を編集場合、電源系統図作成部４１は、データ入力部３０を用いてユーザの入力を受け付け、電源系統図の部品シンボル、部品シンボルに属する情報、接続情報の変更をおこなう（ステップ１１０）。編集が終わると、ステップＳ１０９に移行する。
【００６１】
次に、本実施の形態の効果について説明する。
以上説明したように、本発明の一実施形態によれば、設計支援装置１００は、データ入力部３０（受付手段）と、電源系統図作成部４１（第１作成手段）と、電源系統提案部４２（第２作成手段）と、出力部５０（通知手段）とを有する。データ入力部３０は、デバイスを表す複数の部品シンボル（デバイスシンボル）の配置を示す位置関係情報と、複数の部品シンボル間の接続を指示する接続関係情報とを受け付ける。電源系統図作成部４１は、位置関係情報に基づいて、各部品シンボルを配置し、接続関係情報に基づいて、複数の部品シンボル間を接続する。電源系統提案部４２は、電源系統図作成部４１により配置された各部品シンボルと他のデバイスシンボルとの接続に関する接続条件を取得し、当該接続条件に基づいて各デバイスシンボルと接続する他のデバイスシンボルの候補を特定する。出力部５０は、上記候補を通知し、データ入力部３０は、通知された候補のいずれかを示す選択情報を接続関係情報として受け付ける。
【００６２】
これにより、配置された各部品シンボル間の接続組合せの候補または配置された部品シンボルと接続する新たな部品シンボルの候補が、接続条件を満たしたものだけ表示される。このため、部品シンボル間の接続に関して構成案が複数存在する場合、複数案の比較検討が容易になる。また、接続条件を満たしたもののみ表示されるため、構成案の妥当性を確認する手間を省略することができる。したがって、電源系統図の作成時間、複数の構成案の検討時間、妥当性確認の時間を短縮し、電源系統図の構成に関する人為的なミスを抑制することが可能になる。
【００６３】
また、本実施形態によれば、電源系統提案部４２は、各部品シンボルに対する入力電圧に関する条件を接続条件として取得し、入力電圧の高い部品シンボルから順に、当該部品シンボルに接続する部品シンボルの候補を特定する。これにより、入力電圧が高い部品シンボルから順に接続する部品シンボルが検討され、接続する部品シンボルがない場合、電圧変換回路を接続する部品シンボルの候補として順次電圧を下げることができるため、効率良く接続する部品シンボルの候補を作成することができる。したがって、電源系統図の作成時間、複数の構成案の検討時間、妥当性確認の時間をより確実に短縮し、電源系統図の構成に関する人為的なミスをより確実に抑制することが可能になる。
【００６４】
また、本実施形態によれば、電源系統提案部４２は、各部品シンボルに入力される入力電圧に関する入力条件および各部品シンボルが出力する出力電圧に関する出力条件を接続条件として取得し、各部品シンボルと接続する他のデバイスシンボルの候補として、当該デバイスシンボルの入力条件に適した出力条件を有するデバイスシンボルを特定する。これにより、部品シンボルが出力する出力電圧の条件と部品シンボルに入力される入力電圧の条件に基づいて、接続する部品シンボルの候補が作成されるため、部品シンボル間の接続の妥当性をより確実に確保することが可能になる。したがって、電源系統図の作成時間、複数の構成案の検討時間、妥当性確認の時間をより確実に短縮し、電源系統図の構成に関する人為的なミスをより確実に抑制することが可能になる。
【００６５】
また、本実施形態によれば、電源系統提案部４２は、電圧変換回路のライブラリ情報を取得し、当該ライブラリ情報に基づいて、接続条件を満たす電圧変換回路を新たな部品シンボルの候補として特定する。これにより、配置された部品シンボルの中で接続する部品シンボルの候補がない場合であっても、電圧変換回路が部品シンボルの候補とされる。したがって、電源系統図の作成時間、複数の構成案の検討時間、妥当性確認の時間をより確実に短縮し、電源系統図の構成に関する人為的なミスをより確実に抑制することが可能になる。
【００６６】
また、本実施形態によれば、電源系統提案部４２は、ライブラリ情報に接続条件を満たす電圧変換回路がない場合、電圧変換回路に課される接続条件の候補を作成し、出力部５０は、接続条件の候補を通知する。これにより、ライブラリ情報に部品シンボルと接続する電圧変換回路がない場合であっても、部品シンボルと接続する電圧変換回路に課される接続条件の候補が通知される。したがって、電源系統図の作成時間、複数の構成案の検討時間、妥当性確認の時間をより確実に短縮し、電源系統図の構成に関する人為的なミスをより確実に抑制することが可能になる。
【００６７】
また、本実施形態によれば、データ入力部３０は、接続条件を絞り込む指示をさらに受け付け、電源系統提案部４２は、受け付けた指示に基づいて、接続条件を絞り込み、当該絞り込んだ接続条件に基づいて候補を特定する。これにより、ユーザが入力した接続条件に基づいて候補が絞り込まれるため、特定された候補の数が多い場合であっても、電源系統図の作成時間、複数の構成案の検討時間、妥当性確認の時間をより確実に短縮し、電源系統図の構成に関する人為的なミスをより確実に抑制することが可能になる。
【００６８】
また、本実施形態によれば、電源系統提案部４２は、各部品シンボルに対する入力電圧の範囲、入力電流の範囲、および入力電圧の投入および切断シーケンスを接続条件として取得する。そして電源系統提案部４２は、入力電圧の範囲が重複し、入力電流の範囲が重複し、且つ、入力電圧の投入および切断シーケンスが一致する部品シンボルの入力ピンを共通化する。これにより、入力ピンに同一の電力を入力することができる複数の部品シンボルの入力ピンが共通化され、電源系統図の作成時間、複数の構成案の検討時間、妥当性確認の時間をより確実に短縮し、電源系統図の構成に関する人為的なミスをより確実に抑制することが可能になる。
【００６９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７０】
例えば、上記実施形態において、設計支援装置１００は、コンピュータにて実現されてもよい。この場合、このコンピュータは、コンピュータにて読み取り可能なＣＤ−ＲＯＭ（Ｃｏｍｐａｃｔ  Ｄｉｓｋ  Ｒｅａｄ  Ｏｎｌｙ  Ｍｅｍｏｒｙ）のような記録媒体に記録されたプログラムを読込み実行して、または、有線通信または無線通信で受信したプログラムを受信し実行して、設計支援装置１００として機能する。記録媒体は、ＣＤ−ＲＯＭに限らず適宜変更可能である。  
【００７１】
なお、上記各実施形態は、情報機器、通信機器等の電源が供給される全ての電気機器・装置の設計支援に適用できる。
【符号の説明】
【００７２】
１００            設計支援装置
１０〜１２，２０  記憶部
３０              データ入力部
４０              作成部
４１              電源系統図作成部
４２              電源系統提案部
５０              出力部
【図１】
2015194792.tif 000003
【図２Ａ】
2015194792.tif 000004
【図２Ｂ】
2015194792.tif 000005
【図３Ａ】
2015194792.tif 000006
【図３Ｂ】
2015194792.tif 000007
【図３Ｃ】
2015194792.tif 000008
【図３Ｄ】
2015194792.tif 000009
【図３Ｅ】
2015194792.tif 000010
【図３Ｆ】
2015194792.tif 000011
【図３Ｇ】
2015194792.tif 000012
【図４】
2015194792.tif 000013
【図５】
2015194792.tif 000014